(57)【要約】【課題】電柱の腕金にも固定できるようにして、工具を常に取り出しやすい所望の位置にセットできるようにする。【解決手段】袋本体１９の開口端部から外方に延出される延出部１７を設け、延出部１７に形成される孔１８に対して上下方向にスライド可能なスライド部材２０を孔１８に挿通し、スライド部材２０の少なくとも下端部に、孔１８の周縁部に下方から係合して孔１８からの抜けを防止する係止部材２２を設け、スライド部材２０を下方に降ろした状態で、袋本体１９の背面及び延出部１７により安全帯Ａを囲んで掛着できるよう構成すると共に、孔１８から引き出された状態で、袋本体１９及び延出部１７を安全帯Ａから離脱できるよう構成し、さらに、スライド部材２０の上端部に、電柱の腕金Ｃや足場ボルトＤ、足場の骨材Ｅに引っ掛けるための引っ掛け部材２３を設ける。【選択図】図２
2008093815.tif 000002
【特許請求の範囲】
【請求項１】
安全帯（Ａ）、電柱の腕金（Ｃ）、電柱の足場ボルト（Ｄ）、足場の骨材（Ｅ）などの被掛着部材に掛脱可能に構成される工具袋であって、袋本体（１９）の開口端部から外方に延出される延出部（１７）が設けられると共に、該延出部（１７）に形成される孔（１８）に対して上下方向にスライド可能なスライド部材（２０）が孔（１８）に挿通され、該スライド部材（２０）は、少なくとも下端部に、孔（１８）の周縁部に下方から係合して孔（１８）からの抜けを防止する係止部材（２２）が設けられ、且つ下方に降ろされた状態で、袋本体（１９）の背面及び延出部（１７）により安全帯（Ａ）を囲んで掛着できるよう構成されると共に、上方に引き出された状態で、袋本体（１９）を安全帯（Ａ）から離脱できるよう構成され、さらに、スライド部材（２０）の上端部に、電柱の腕金（Ｃ）、電柱の足場ボルト（Ｄ）、足場の骨材（Ｅ）などの被掛着部材に引っ掛けるための引っ掛け部材（２３）が設けられてなることを特徴とする工具袋。
【請求項２】
袋本体（１９）の閉塞端部に被掛止部材（１２）が設けられ、袋本体（１９）及び引き出されたスライド部材（２０）により、電柱の腕金（Ｃ）、電柱の足場ボルト（Ｄ）、足場の骨材（Ｅ）などの被掛着部材を囲んで掛着できるよう、引っ掛け部材（２３）と被掛止部材（１２）とを連結する連結部材（３０）が設けられてなることを特徴とする請求項１に記載の工具袋。
【請求項３】
安全帯（Ａ）、電柱の腕金（Ｃ）、電柱の足場ボルト（Ｄ）、足場の骨材（Ｅ）などの被掛着部材に掛脱可能に構成される工具袋であって、上記被掛着部材に捲回できる程度、もしくは被掛着部材に対して挿脱可能な環状体を形成できる程度の長さを有し、一端部が袋本体（１９）に固着されると共に、互いの他端部同士が着脱可能に構成される少なくとも一対の紐状体（４０，４５）（４２，４２）が設けられてなることを特徴とする工具袋。
【請求項４】
袋本体（１９）に、上記紐状体（４０，４５）（４２，４２）を挿脱できる紐通し部材（１２０）が設けられてなることを特徴とする請求項３に記載の工具袋。
【発明の詳細な説明】
【技術分野】
【０００１】
本発明は、作業者が使用する際に、取り出しやすく且つ挿入しやすい位置で工具を取り出すことができる工具袋に関する。
【背景技術】
【０００２】
一般的に知られている工具袋としては、安全帯に対して挿脱可能なベルト通しが背面に設けられた袋本体を備えており、例えば作業者が工具を取り出す際に取り出しやすい位置に袋本体を移動させて取り出している。この場合、袋本体が安全帯に対して移動自在であるため、作業者の作業姿勢によっては、袋本体が作業者の手の届きにくいところへ移動してしまう場合がある。
【０００３】
そこで、このような問題を解消すべく、安全帯に挿通されている袋本体を、作業しやすい所望の位置で略固定できるように構成された工具袋が公知になっている（例えば特許文献１）。この工具袋は、平断面が略Ｖ字形状を呈した固定部が袋本体の背面の両側に設けられており、該固定部の各折曲片に、安全帯を挿通するための挿通孔が形成され、該挿通孔の開口周縁部に、安全帯の表面に係止するエッジが形成され、該エッジによって、作業しやすい所望の位置に袋本体を移動させることができ、作業者の作業姿勢によって袋本体の位置がずれることがなく、所望の位置で略固定できるようになっている。
【特許文献１】実用新案登録第３１１０１４５号公報
【発明の開示】
【発明が解決しようとする課題】
【０００４】
しかしながら、上記公報の工具袋は、安全帯に対しての使い勝手はよくなったものの、工具袋の使い良さをより向上させようと、安全帯から取り外して、例えば既設されている電柱の腕金や足場に使用されている骨材などの被掛着部材に掛着しようとした場合、該被掛着部材に掛着させるための手段が備えられておらず、使用範囲が限定されてしまうという問題がある。
【０００５】
そこで、本発明は、上記問題点を鑑み、作業者が身につける安全帯だけではなく、作業現場に既設されている、例えば電柱の腕金、電柱の足場ボルト、足場の骨材などの被掛着部材にも固定できるようにして、工具を常に取り出しやすい所望の位置にセットできるよう、袋本体を作業環境に応じて移設できる工具袋を提供することを課題とする。
【課題を解決するための手段】
【０００６】
前記課題を解決するために、本発明に係る工具袋は、安全帯Ａ、電柱の腕金Ｃ、電柱の足場ボルトＤ、足場の骨材Ｅなどの被掛着部材に掛脱可能に構成される工具袋であって、袋本体１９の開口端部から外方に延出される延出部１７が設けられると共に、該延出部１７に形成される孔１８に対して上下方向にスライド可能なスライド部材２０が孔１８に挿通され、該スライド部材２０は、少なくとも下端部に、孔１８の周縁部に下方から係合して孔１８からの抜けを防止する係止部材２２が設けられ、且つ下方に降ろされた状態で、袋本体１９の背面及び延出部１７により安全帯Ａを囲んで掛着できるよう構成されると共に、上方に引き出された状態で、袋本体１９を安全帯Ａから離脱できるよう構成され、さらに、スライド部材２０の上端部に、電柱の腕金Ｃ、電柱の足場ボルトＤ、足場の骨材Ｅなどの被掛着部材に引っ掛けるための引っ掛け部材２３が設けられてなることを特徴とする。
【０００７】
かかる構成によれば、スライド部材２０を下方に降ろした状態においては、袋本体１９の背面、延出部１７、スライド部材２０の正面により安全帯Ａをコ字形状に囲むことができ、工具袋を安全帯Ａに掛着できるようになる。また、スライド部材２０を孔１８から上方に引き出した状態においては、安全帯Ａを囲んでいた囲みの一部が開放されるようになり、袋本体１９を安全帯Ａから離脱できるようになる。
【０００８】
また、引っ掛け部材２３を設けることで、スライド部材２０を引き出した状態において、電柱の腕金Ｃ、電柱の足場ボルトＤ、足場の骨材Ｅなどの被掛着部材に引っ掛けることができ、工具袋をより広範囲に移設できる。
【０００９】
また本発明の工具袋は、袋本体１９の閉塞端部に被掛止部材１２を設け、袋本体１９、引き出されたスライド部材２０により、電柱の腕金Ｃ、電柱の足場ボルトＤ、足場の骨材Ｅなどの被掛着部材を囲んで掛着できるよう、引っ掛け部材２３と被掛止部材１２とを連結する連結部材３０を設けるような構成を採用することもできる。
【００１０】
かかる構成によれば、袋本体１９、スライド部材２０，連結部材３０によって、電柱の腕金Ｃ、電柱の足場ボルトＤ、足場の骨材Ｅなどの被掛着部材を囲繞する大きな環状体が形成されることになるため、大形の被掛着部材に対応できると共に、被掛着部材の形状に対して接触面積の大きい環状体を形成することができ、工具袋の掛着範囲をより一層広げることができ、しかも、被掛着部材に対してより確実に工具袋を掛着できるようになる。つまり、被掛着部材の種類に関係なく、工具袋からの工具の出し入れを安定した状態で行うことができる。
【００１１】
なお、連結部材３０としては、紐、チェーン、ワイヤ、針金、可撓性を有する板材のいずれであってもよい。形状や大きさ、素材は特に限定されるものではなく、要は、被掛着部材に掛着できるよう環状体を形成できればよい。
【００１２】
また、本発明の工具袋は、安全帯Ａ、電柱の腕金Ｃ、電柱の足場ボルトＤ、足場の骨材Ｅなどの被掛着部材に掛脱可能に構成される工具袋であって、上記被掛着部材に捲回できる程度、もしくは被掛着部材に対して挿脱可能な環状体を形成できる程度の長さを有し、一端部が袋本体１９に固着されると共に、互いの他端部同士が着脱可能に構成される少なくとも一対の紐状体４０，４５、４２，４２が設けられてなることを特徴とする。
【００１３】
かかる構成によれば、少なくとも一対の紐状体４０，４５、４２，４２の他端部を接続すれば、少なくとも一つの環状体が形成されるようになり、該環状体に、安全帯Ａ、電柱の腕金Ｃ、電柱の足場ボルトＤ、足場の骨材Ｅなどの被掛着部材が挿脱されて、工具袋を簡単に吊設することができる。
【００１４】
例えば一対の紐状体４０，４５を複数本設け、一端部を袋本体１９に固着すると共に、互いの他端部同士を着脱可能に設ければ、各紐状体４０，４５によって形成される環状体に上記被掛着部材が挿脱可能になり、工具袋を所望の位置に吊設することができる。一対の幅広の紐状体４０，４５を工具袋の開口端部の中央部に設けるようにすれば、バランスよく工具袋を吊り下げることができる。また、この幅広の紐状体４０，４５を硬質の素材で作製すれば、吊り下げても、工具の自重によって工具袋の開口形状が変形することなく、工具の出し入れが容易に行える。
【００１５】
また、本発明によれば袋本体１９に、紐状体４０，４５、４２，４２を挿脱できる紐通し部材１２０を設けるような構成を採用することができる。
【００１６】
かかる構成によれば、紐状体４０，４５、４２，４２を紐通し部材１２０に繰り返し挿通させることで、複数の環状体を形成できる一方、工具袋を環状体の一部の構成要素として取り入れることもできる。つまり、紐状体４０，４５、４２，４２で形成される環状体の補強手段となる。
【発明の効果】
【００１７】
以上のように、本発明によれば、袋本体の開口端部に延出部を形成すると共に、該延出部に孔を形成し、該孔にスライド部材を上下方向にスライド可能に設けるようにしたので、スライド部材を下方へ降ろしたり、上方へ引き出したりすることによって、安全帯に対して容易に掛脱できる。さらに、スライド部材の上端部に、電柱の腕金や足場ボルト、足場の骨材などの被掛着部材に掛着できる引っ掛け部材を設けるようにしたので、工具を常に取り出しやすい所望の位置に移設できる。
【００１８】
また、捲回できる程度もしくは環状体を形成できる程度の長さを有する紐状体を設けるようにしたので、被掛着部材の大きさや形状に影響されることなく工具袋を掛着できる効果がある。
【発明を実施するための最良の形態】
【００１９】
以下、本発明の実施形態に係る工具袋について、図１〜図１３を参照しつつ説明する。
（実施形態１）
まず、本実施形態１の工具袋を説明するにあたり、柱上作業時に使用される工具袋を例にとって説明することになるが、まず、工具袋が掛着される掛着部材としての安全帯の構成について説明する。
【００２０】
この安全帯Ａは、図１に示すように、一端部にバックル２を有するベルト１と、該ベルト１に挿通された、ベルト１よりも幅広の腰当て３と、ベルト１に取り付けられたリング４に係脱可能なフック付き命綱５とから構成されている。
【００２１】
つぎに本実施形態１の工具袋について説明する。該工具袋Ｂは、図２に示すように、平板状の吊り下げ部１０と、該吊り下げ部１０の前面に設けられた複数の工具挿入部１５と、各工具挿入部１５の前方を覆うよう、吊り下げ部１０の側端部にその周縁部が固着された袋状部１６と、吊り下げ部１０の上端部から後方に延出された延出部１７と、吊り下げ部１０、袋状部１６、延出部１７より形成された袋本体１９と、延出部１７に形成された長孔１８に対して上下方向にスライド自在に設けられたスライド部材２０とから構成されている。
【００２２】
吊り下げ部１０は、正面視矩形状を呈し、被掛着部材に掛着した状態において略直立した状態で吊り下げられる。この場合、吊り下げ部１０及び袋状部１６の素材としては、吊り下げられた状態、載置された状態のいずれであっても工具を挿脱しやすいよう、形状をある程度維持できる硬質樹脂製、皮革製、芯材が内挿された板材を使用するのがよい。
【００２３】
そして、吊り下げ部１０の背面において、安全帯Ａのベルト１の幅寸法に対応する位置に、樋形状のガイド部１１が吊り下げ部１０の横寸法に沿って設けられ、ベルト１の下縁部がガイド部１１によってガイドされて円滑に挿通されるようになっている。袋本体１９を上方に引き抜こうとしてもガイド部１１がベルト１の下縁部に当接して引き抜きが防止される。
【００２４】
さらに、吊り下げ部１０の下端部の両側に、伸縮自在なゴム紐を環状にして取り付けられた被掛止部材１２が設けられている。この被掛止部材１２は、後述する、スライド部材２０の上係止部材２１と被掛止部材１２とを連結する連結部材としての比較的短い長さの吊り下げ用紐３０が挿通されたり、該吊り下げ用紐３０の両端部に設けられたフック３１，３１が係脱したりするようになっている（図４参照）。なお、吊り下げ用紐３０の使用態様については後述する。
【００２５】
工具挿入部１５は、上部開口がプラス用及びマイナス用ドライバのビットの直径よりも大きく、各ドライバの把持部よりも小さくなるよう、帯状体１５ａが複数の円錐状（円筒状）になるよう、吊り下げ部１０の前面に固着されている。これによって、各ドライバのビットが下向きに挿入されると共に、各ドライバの把持部が上方に突出することになり、各ドライバが帯状体１５ａから容易に取り出せるようになる。
【００２６】
延出部１７は、幅方向中央に長さ方向に沿って、スライド部材２０を上下方向にスライドさせるための長孔１８が形成されている。そして、吊り下げ部１０の上端部と同一の長さ寸法を有すると共に、スライド部材２０よりも若干大きい幅寸法を有している。また長孔１８の開口縁部には、スライド部材２０が円滑に出退できるよう補強部材が設けられている（図示せず）。
【００２７】
スライド部材２０は、正面視略矩形状を呈し、吊り下げ部１０に平行するよう延出部１７の長孔１８から上下方向にスライド可能に設けられ、上端部に、長孔１８の開口縁部に係脱可能な上係止部材２１が設けられると共に、下係止部材２２が設けられ、スライド部材２０の長孔１８からの抜けを防止している。そして、スライド部材２０が下方に降ろされた状態において、上係止部材２１は、延出部１７の長孔１８から上方に突出し、下係止部材２２は、吊り下げ部１０の下端部の側方に位置している。なお、本実施形態１においては、スライド部材２０は、手動によりスライドされるが、引っ張りバネによって下方向に常に付勢されるようにして半自動にしてもよい。なお、スライド部材２０としては、例えば平板状、矩形Ｃ字形状のいずれであってもよく、延出部１７の中央のみ、左右の両側に設けられてもよく、形状、大きさ、個数は限定されるものではない。
【００２８】
また、スライド部材２０の上端部に、矩形Ｃ字形状の引っ掛け部材２３が設けられ、該引っ掛け部材２３は、自在継手２４によって回動自在に支持されると共に、開口端部が、閉方向に常に弾性付勢された係止杆２５によって開閉可能に閉塞されている。そして、図２に示すように、引っ掛け部材２３に指を引っ掛けて、スライド部材２０を出し入れする。
【００２９】
つぎに使用態様について説明する。まず図１の安全帯Ａに工具袋Ｂを掛着する場合、図３に示すように、スライド部材２０を下方に降ろした状態で、吊り下げ部１０とスライド部材２０とが、安全帯Ａのベルト１の上側を跨るよう挿入して引っ掛けられ、吊り下げ部１０の背面，延出部１７の下面，スライド部材２０の正面とで形成されるコ字形状の囲みに安全帯Ａのベルト１が位置すると共に、スライド部材２０の背面側に安全帯Ａの腰当て３が位置した状態になる。この際、上係止部材２１及び下係止部材２２が腰当て３の側面に当接することになるので、ベルト１への掛着状態が維持される。また、ガイド部１１がベルト１の下端部の下方に位置するので、ベルト１に対して袋本体１９が位置決めされる。
【００３０】
また、掛着位置を変更したい場合、又はベルト１から取り外す場合は、引っ掛け部材２３に指を引っ掛けてスライド部材２０を上方に引き出すことによって、ベルト１の背面側が開放されるようになるので、ベルト１に対する掛着状態が解除されるようになり、ベルト１から容易に移動させたり、取り外したりできる。
【００３１】
つぎに電柱の腕金Ｃに工具袋を掛着する場合、図４に示すように、工具袋Ｂの延出部１７の長孔１８からスライド部材２０を上方に引き出して、下係止部材２２，２２を長孔１８の周縁部に下方から係合させると共に、スライド部材２０を水平方向にして角筒状の腕金Ｃの上面に跨るようにして当接載置する。この状態で、引っ掛け部材２３と被掛止部材１２とを吊り下げ紐３０で連結し、腕金Ｃを囲む環状体を形成する。なお、確実に掛着するために腕金Ｃの周面に捲回するようにしてもよい。
【００３２】
そして、上述したように、吊り下げ紐３０の両端部には、図５（イ）、（ロ）に示すような矩形Ｃ字形状のフック３１、３５のいずれかが設けられており、フック３１は、上記引っ掛け部材２３と同様に、閉方向に弾性付勢された回動自在の係止杆３２が設けられ、フック３５は、閉方向に弾性付勢された出退自在の係止杆３６が設けられている。
【００３３】
つぎに電柱の足場ボルトＤに工具袋Ｂを掛着する場合、図６に示すように、スライド部材２０を上方に引き出すと共に、下係止部材２２，２２を長孔１８の周縁部に下方から係合させ、この状態で、引っ掛け部材２３の係止杆２５を開方向に押圧して、該引っ掛け部材２３の開口端部を開放する。この状態で、引っ掛け部材２３を足場ボルトＤの軸部に引っ掛ける。
【００３４】
（実施形態２）
つぎに実施形態２につき、図７を参照して説明する。同図において、図２と同一符号は同一もしくは相当するものを示し、異なる点は、工具袋Ｂにおいて、ガイド部１１、延出部１７、スライド部材２０がなく、しかも、ゴム紐からなる紐通し部材１２の代わりに、図２の引っ掛け部材（自在継ぎ手なし）２３と同様に構成された紐通し部材１２０が吊り下げ部１０の下端部の両側に取り付けられ、さらに、被掛着部材に捲回できる程度、もしくは被掛着部材に対して挿脱可能な環状体を形成できる程度の長さを有する長尺の紐状体４０と、該紐状体４０に着脱可能な短尺の紐状体４５とが設けられている点であり、各紐状体４０，４５は、それぞれの一端部が吊り下げ部１０に固着されると共に、互いの他端部が着脱できるよう雄コネクタ４１及び雌コネクタ４６が設けられている。なお、図示していないが、長尺の紐状体４０は長さ調整するための調整部材が設けられているものとする。
【００３５】
つぎに使用態様について説明する。まず安全帯Ａに工具袋Ｂを掛着する場合、図８（イ）に示すように、紐状体４０の長さを短く調整した後、長尺の紐状体４０を上方から下方へ、紐通し部材１２０に通した後、上方に引き上げて短尺の紐状体４５の雌コネクタ４６と、長尺の紐状体４０の雄コネクタ４１とを接続し、吊り下げ部１０と紐状体４０の環状体とによって形成される隙間Ｈに安全帯Ａのベルト１を挿通する。
【００３６】
つぎに腕金Ｃに工具袋Ｂを掛着する場合、図８（ロ）に示すように、紐状体４０の長さを大きくするよう調整した後、上記と同様に、紐通し部材１２０に紐状体４０を通すと共に、長尺の紐状体４０のコネクタ４１を短尺の紐状体４５のコネクタ４６に接続し、これによって環状体を形成し、吊り下げ部１０と環状体との隙間５０に腕金Ｃを挿通する。なお、腕金Ｃに捲回する場合は、吊り下げ部１０を腕金Ｃに当接した状態で、上記環状体を形成する。
【００３７】
また、図８（ハ）に示すように、紐通し部材１２０を通すことなく、腕金Ｃの周面に、長尺の紐状体４０を下方から上方に巻き締められるよう捲回した後、長尺の紐状体４０のコネクタ４１を短尺の紐状体４５のコネクタ４６に接続するようにしてもよい。
【００３８】
さらに、図９に示すように、同一長さの紐状体４２を一対設けて、各紐状体４２の一端部を吊り下げ部１０の上端部の両側に固着し、互いの他端部を接続できるよう雄コネクタ４１及び雌コネクタ４６を設けるようにしてもよい。この場合、一対の紐状体４２，４２を接続して形成される環状体によって被掛着部材に掛着してもよいし、少なくともいずれか一方の紐状体４２を被掛着部材に捲回した後、互いの他端部を接続するようにしてもよい。
【００３９】
（その他の実施形態）
なお、本発明は、上記いずれの実施形態に限定されるものではなく、本発明の要旨を逸脱しない範囲で種々の変更が可能である。なお、図１０〜図１３において、図２と同一符号は同一もしくは相当するものを示すものとし、異なる点のみを説明する。
【００４０】
例えば、図１０（イ）、（ロ）に示すように、一端部にフック５１ａが取り付けられた幅広の紐状体５１と、該紐状体５１を巻き取るためのリール５２と、該リール５２の下端部に固着され、紐状体５１のフック５１ａが係脱可能な係止リング５３とを備えた掛着手段５０を、吊り下げ部１０の背面部の両側に取り付けるようにしてもよい。
【００４１】
そして、図１０（ハ）に示すように、工具袋Ｂの延出部１７を電柱の腕金Ｃに当接し、この状態で紐状体５１をリール５２から引き出して、紐状体５１を腕金Ｃに捲回した後、紐状体５１のフック５１ａを係止リング５３に係合させて、工具袋Ｂを腕金Ｃに吊設する。
【００４２】
また、図１１（イ）、（ロ）に示すように、延出部１７自体を伸縮部材５５にし、該伸縮部材５５に面ファスナ５６ａを取り付けると共に、吊り下げ部１０の背面に、該面ファスナ５６ａに着脱可能な面ファスナ５６ｂを固着してもよく、安全帯Ａに捲着する場合には、安全帯Ａの腰当て３を覆うようにして、延出部１７ａを軽く引っ張る程度に捲回する。腕金Ｃに捲回する場合は、延出部１７ａを強く引っ張るようにして捲回する。
【００４３】
また、図１２（イ）、（ロ）に示すように、工具袋Ｂの吊り下げ部１０に、足場などに使用されている角管に対して着脱可能なクリップ６０を設けると共に、クリップ６０に長孔１８を形成してスライド部材２０を出し入れできるようにする。なお、安全帯Ａに対しては、図１に示すスライド部材２０を下方に降ろした状態にして安全帯Ａのベルト１に掛着させる。
【００４４】
また、図１３（イ）、（ロ）に示すように、工具袋Ｂの吊り下げ部１０と、延出部１７とに細長い板状のマグネット６５を複数設けるようにしてもよい。そして、安全帯Ａに対しては、図１３（イ）に示すように、ベルト１の表裏を捲回するようにして、ベルト１の下縁部から臨出するマグネット６５同士を磁着させる。一方、足場の骨材（角管）Ｅに対しては、図１３（ロ）に示すように、骨材Ｅの周面に吊り下げ部１０のマグネット６５、及び延出部１７のマグネット６５を当接させて磁着させる。
【図面の簡単な説明】
【００４５】
【図１】本発明の実施形態１に係る工具袋が掛着される安全帯の構成を示した図である。
【図２】本発明の実施形態１に係る工具袋を示した斜視図である。
【図３】図２の工具袋を安全帯に実装状態を示した斜視図である。
【図４】図２の工具袋を電柱の腕金に実装した状態を示した側面図である。
【図５】（イ）、（ロ）はフックの形状を示した図である。
【図６】図２の工具袋を電柱の足場ボルトに実装した状態を示した斜視図である。
【図７】本発明の実施形態２に係る工具袋を示した斜視図である。
【図８】（イ）は図７の工具袋を安全帯に実装状態を示した側面図、（ロ）は腕金に実装した状態を示した側面図、（ハ）は腕金に実装した他の状態を示した側面図である。
【図９】図７の工具袋の変形例を示した斜視図である。
【図１０】（イ）は巻き取りリールを利用した、その他の実施形態の工具袋を示した側面図、（ロ）は図１０（イ）の平面図、（ハ）は腕金に実装状態を示した側面図である。
【図１１】（イ）は伸縮自在の面ファスナを利用した工具袋を示した側面図、（ロ）は腕金に実装状態を示した側断面図である。
【図１２】（イ）はクリップを利用した工具袋を示した側面図、（ロ）は図１２（イ）の平面図である。
【図１３】（イ）はマグネットを利用した工具袋を安全帯のベルトに実装した状態の側面図、（ロ）はマグネットを利用した工具袋を足場の骨材に実装した状態の側面図である。
【符号の説明】
【００４６】
１…ベルト、２…バックル、３…腰当て、４…リング、５…命綱、１０…吊り下げ部、１１…ガイド部、１２…被掛止部材，１２０…紐通し部材、１５…工具挿入部、１５ａ…帯状体、１６…袋状部、１７…延出部、１８…長孔、１９…袋本体、２０…スライド部材、２１…上係止部材、２２…下係止部材、２３…引っ掛け部材、２４…自在継手、２５…係止杆、３０…吊り下げ用紐（連結部材）、３１，３５，５１ａ…フック、３２，３６…係止杆、４０，４２，４５，５１…紐状体、４１…雄コネクタ、４６…雌コネクタ、５０…掛着手段、５２…リール、５３…係止リング、５５…面ファスナ、６０…クリップ、６５…マグネット、Ａ…安全帯、Ｂ…工具袋、Ｃ…腕金、Ｄ…足場ボルト、Ｅ…骨材、Ｈ…隙間
【図１】
2008093815.tif 000003
【図２】
2008093815.tif 000004
【図３】
2008093815.tif 000005
【図４】
2008093815.tif 000006
【図５】
2008093815.tif 000007
【図６】
2008093815.tif 000008
【図７】
2008093815.tif 000009
【図８】
2008093815.tif 000010
【図９】
2008093815.tif 000011
【図１０】
2008093815.tif 000012
【図１１】
2008093815.tif 000013
【図１２】
2008093815.tif 000014
【図１３】
2008093815.tif 000015